(57)【要約】【課題】目視することなく第１風路体と第２風路体とを接続することのできる電気掃除機用の風路体を提供する。【解決手段】塵埃を吸引するための手元操作管体４１の風路管７６と、この風路管７６に着脱可能に接続され且つ塵埃を吸引するための伸縮接続パイプ４２と、手元操作管体４１と伸縮接続パイプ４２との接続をロックするクランプ手段とを備え、伸縮接続パイプ４２の風路管４５Ａは手元操作管体４１の風路管７６内に着脱可能に嵌入する接続口部４２Ａを有する電気掃除機用の接続パイプであって、手元操作管体４１の風路管７６内に伸縮接続パイプ４２の風路管４５Ａの接続口部４２Ａを嵌入して手元操作管体４１の風路管７６と伸縮接続パイプ４２とを接続した際に、風路管７６の先端面７６ａに当接する接合面４５ａを風路管４５に形成し、端面４５ａおよび先端面７６ａを軸線に対して同方向に傾斜させた。【選択図】  図１０
2008136746.tif 000002
【特許請求の範囲】
【請求項１】
第１接続部を有した塵埃を吸引するための第１風路体と、第２接続部を有した塵埃を吸引するための第２風路体と、前記第１風路体と第２風路体との接続をロックするクランプ手段とを備え、前記第２風路体は前記第１風路体内に嵌入する嵌入パイプ部を有する電気掃除機用の風路体であって、
前記第１風路体と前記第２風路体とを接続した際に、前記第１接続部の先端面に接合する接合面を前記第２接続部に形成し、
前記先端面および接合面が、前記第１、第２風路体の接続時において同方向に傾斜して接合されるように形成したことを特徴とする電気掃除機用の風路体。
【請求項２】
前記第１接続部と第２接続部のうちどちらか一方に突部を設け、他方にこの突部に係合  する凹部を設け、
前記第１風路体と第２風路体とが接続されたとき、前記突部が凹部に係合することを特  徴とする請求項１に記載の電気掃除機用の風路体。
【発明の詳細な説明】
【技術分野】
【０００１】
この発明は、塵埃を吸引するための第１風路体に第２風路体を着脱可能に接続する電気掃除機用の風路体に関する。
【背景技術】
【０００２】
従来から、吸込口体の後部に設けた回動管と、この回動管に着脱可能に接続されるアタッチメントの風路管とを備えた塵埃を吸引するための接続パイプが知られている（特許文献１参照）。
【０００３】
かかる接続パイプは、回動管側に設けた係止爪と、アタッチメントの風路管側に設けた係合孔とを有している。そして、吸込口体の回動管にアタッチメントの風路管を接続すると、回動管側の係止爪がアタッチメントの風路管側の係合孔に入って係合し、その回動管に風路管が固定されることになる。
【特許文献１】特開２００５−３３４０４１号公報
【発明の開示】
【発明が解決しようとする課題】
【０００４】
しかしながら、このような接続パイプにあっては、回動管側の係止爪が風路管側の係合孔に入るように目視により確認しながら吸込口体の回動管とアタッチメントの風路管とを接続しなければならず、その接続の操作性が悪いという問題があった。
【０００５】
この発明の目的は、目視による確認を行うことなく第１接続パイプと第２接続パイプとを接続することのできる電気掃除機用の接続パイプを提供することにある。
【課題を解決するための手段】
【０００６】
この発明は、第１接続部を有した塵埃を吸引するための第１風路体と、第２接続部を有した塵埃を吸引するための第２風路体と、前記第１風路体と第２風路体との接続をロックするクランプ手段とを備え、前記第２風路体は前記第１風路体内に嵌入する嵌入パイプ部を有する電気掃除機用の風路体であって、
前記第１風路体と前記第２風路体とを接続した際に、前記第１接続部の先端面に接合する接合面を前記第２接続部に形成し、
前記先端面および接合面が、前記第１、第２風路体の接続時において同方向に傾斜して接合されるように形成したことを特徴とする。
【発明の効果】
【０００７】
この発明によれば、目視による確認を行うことなく第１風路体と第２風路体とを接続することができる。
【発明を実施するための最良の形態】
【０００８】
以下、この発明に係る電気掃除機用の風路体の実施の形態である実施例を図面に基づいて説明する。
【実施例】
【０００９】
図１および図２はアップライト式の電気掃除機１０を示す。このアップライト式の電気掃除機１０は、底面に吸込開口２１を有する吸込室２２を形成した吸込口体２０と、掃除機本体３０と、この掃除機本体３０に着脱可能に装着された操作パイプ（風路体）４０とを備えている。
【００１０】
吸込口体２０の後部には、点Ｏ（図２参照）を中心にして前後方向（図２において左右方向）に回動可能な回転管２３が設けられており、この回転管２３は吸込口体２０の吸込室２２に連通されている。また、回転管２３の上部は後述する掃除機本体３０の下部の接続口部３１に着脱可能に接続されており、掃除機本体３０が回転管２３とともに点Ｏを中心にして前後に傾動可能となっている。
【００１１】
回転管２３は、掃除機本体３０すなわち回転管２３が図１および図２に示すように起立された状態（収納状態）にされると、回転管２３の下部に設けたシャッタ２３Ｓにより回転管２３と吸込口体２０の吸込室２２とが非連通状態となり、掃除機本体３０が後方（図２において右方向）へ回動されると、回転管２３と吸込室２２とが連通される。
【００１２】
掃除機本体３０は、内部に形成された集塵容器室３２と、この集塵容器室３２に着脱可能に装着された集塵容器５０と、この集塵容器５０内の空気を吸引する電動送風機３３と、この集塵容器５０の接続開口５１と接続口部３１とを連通する連通管３４と、この連通管３４の上部に設けられた枝管３５と、底面が閉塞され上面が開口した筒体３６とを備えている。枝管３５は集塵容器５０の接続開口５１に連通している。
【００１３】
操作パイプ４０は、手元操作管体（第１風路体）４１と、この手元操作管体４１の先端部に着脱可能に接続された伸縮接続パイプ（第２風路体）４２とを備えている。
【００１４】
手元操作管体４１の後述する風路管７６（図４参照）の後部には集塵ホース４３の一端が接続され、この集塵ホース４３の後端が枝管３５に接続されている。そして、伸縮接続パイプ４２は手元操作管体４１の風路管７６および集塵ホース４３を介して枝管３５に連通している。
【００１５】
伸縮接続パイプ４２の先端部には鶴口の吸込具４４が着脱可能に装着されている。そして、この吸込具４４および伸縮接続パイプ４２の先端部が筒体３６内に取り外し可能に嵌入されている。この嵌入により、吸込具４４は筒体３６により閉塞され、吸込具４４から空気が吸引されないようになっている。
【００１６】
掃除機本体３０を図１および図２に示すように起立した状態から後方へ回動させると、吸込口体２０の回転管２３は吸込室２２に連通されることにより、吸込口体２０の吸込開口２１から塵埃を吸引することができる。
【００１７】
掃除機本体３０が図１および図２に示すように起立した状態になっているとき、吸込口体２０の回転管２３と吸込室２２とが非連通状態となるので、伸縮接続パイプ４２の先端部および吸込具４４を筒体３６から引き抜けば、吸込具４４から塵埃を吸引できるようになる。
【００１８】
手元操作管体４１は、図３ないし図５に示すように、把手部４１Ａと、クランプ手段７０と、風路管（第１接続部）７６等とを備えている。風路管７６は、把手部４１Ａと一体的に形成されている。
【００１９】
クランプ手段７０は、一端側（図４において左端側）に形成した操作部７１と右側に形成した係止部７２と中央部に形成した突起７３とを有する操作部材７４と、この操作部材７４を突起７３を支点にして時計回り（図４において）に付勢するスプリング７５とを備えている。
【００２０】
操作部材７４は、風路管７６と把手部４１Ａの付け根との間に形成さたスペースに配置されており、風路管７６に設けた孔７６Ａから操作部材７４の係止部７２が突出している。
【００２１】
そして、図６に示す伸縮接続パイプ４２の後部の接続口部４２Ａを、図７に示すように手元操作管体４１の風路管７６内に嵌入して接続すると、操作部材７４の係止部７２がスプリング７５の付勢力により伸縮接続パイプ４２の接続口部４２Ａに形成した凹部４２ｂに係合し、伸縮接続パイプ４２の手元操作管体４１への接続がロックされる。
【００２２】
そして、操作部７１を押すと操作部材７４はスプリング７５の付勢力に抗して反時計回りに回動し、操作部材７４の係止部７２が伸縮接続パイプ４２の接続口部４２Ａの凹部４２ｂから外れ、そのロックが解除される。
【００２３】
また、風路管７６の先端面７６ａは、風路管７６の軸線に対して斜めに形成されており、先端面７６ａの最上部（図４において）には風路管７６の内周面が窪んだ状態の凹部７８（図５参照）が形成されている。
【００２４】
風路管７６の先端部は、図３および図４に示すように、手元操作管体４１の本体より突出しており、この先端部には図５および図８に示すように毛ブラシ具８０が着脱可能に装着される。
【００２５】
毛ブラシ具８０は、風路管７６の先端部に嵌合するリング部材８１と、このリング部材８１に植毛された毛ブラシ８２とから構成されている。
【００２６】
伸縮接続パイプ４２は、図６および図９に示すように、外側接続パイプ体４５と、この外側接続パイプ体４５の風路管（第２接続部）４５Ａ内（図７参照）に引き出し可能に挿入された内側パイプ４６とを備えている。内側パイプ４６の先端部には着脱自在に吸込具４４が接続されている（図２参照）。
【００２７】
内側パイプ４６は、外側接続パイプ体４５に設けたボタン４７を押すことにより任意の位置の長さに引き出すことができ、そのボタン４７の押圧を解除すると、内側パイプ４６がその引き出された長さに外側接続パイプ体４５に対して固定されるようになっている。
【００２８】
また、外側接続パイプ体４５の風路管４５Ａ（図７参照）には、接続口部（嵌入パイプ部）４２Ａが一体形成され、この接続口部４２Ａと内側パイプ４６とが風路管４５Ａを介して連通している。接続口部４２Ａには図示しないシール部材が設けられており、接続口部４２Ａと内側パイプ４６との間をシールするようになっている。
【００２９】
風路管４５Ａの後部（図６において右側）の外周囲には、手元操作管体４１の風路管７６の先端面７６ａに接合する接合面４５ａが形成され、この接合面４５ａは風路管４５Ａの軸線に対してその先端面７６ａと同方向に傾斜している。また、その接合面４５ａの最上部（図６において）には手元操作管体４１の風路管７６の凹部７８に係合する突出部４９が形成されている。この突出部４９がその凹部７８に係合すると、手元操作管体４１の操作部材７４の係止部７２が伸縮接続パイプ４２の接続口部４２Ａの凹部４２ｂに係合するようになっている。
［作  用］
次に、上記のように構成される操作パイプ４０の作用について説明する。ここでは、説明の便宜上毛ブラシ具８０を装着していない場合について説明する。
【００３０】
図４に示す手元操作管体４１の風路管７６内に、図６に示す伸縮接続パイプ４２の風路管４５Ａの接続口部４２Ａを挿入していくと、手元操作管体４１の凹部７８と伸縮接続パイプ４２の突出部４９の位置が一致していないとき、図１０に示すように、手元操作管体４１の風路管７６の先端面７６ａに外側接続パイプ体４５の風路管４５Ａの接合面４５ａが点接触する状態で当接する。
【００３１】
さらに伸縮接続パイプ４２の風路管４５の接続口部４２Ａを挿入していくと、手元操作管体４１の風路管７６の先端面７６ａが傾斜していることにより、伸縮接続パイプ４２の風路管４５Ａがその傾斜した先端面７６ａに案内されて伸縮接続パイプ４２は手元操作管体４１に対して矢印方向へその挿入にともないながら回転されていく。
【００３２】
この回転により、手元操作管体４１の凹部７８と伸縮接続パイプ４２の突出部４９の位置が一致する位置まで伸縮接続パイプ４２は案内されることになる。そして、図１１に示すようにその位置が一致すると、手元操作管体４１の先端面７６ａの最上部に凹部７８が形成され且つ伸縮接続パイプ４２の接合面４５ａの最上部に突出部４９が形成されていることにより、伸縮接続パイプ４２の回転は停止する。
【００３３】
さらに、手元操作管体４１の風路管７６内へ伸縮接続パイプ４２の接続口部４２Ａを押し込むと、手元操作管体４１の先端面７６ａの凹部７８に伸縮接続パイプ４２の接合面４５ａの突出部４９が挿入（係合）され、図９に示すように手元操作管体４１の先端面７６ａと伸縮接続パイプ４２の接合面４５ａとが接合される。すなわち、先端面７６ａと接合面４５ａとがほぼ平行となる。
【００３４】
この突出部４９の凹部７８への挿入により、手元操作管体４１の風路管７６に対する伸縮接続パイプ４２の回り止めが図られることになる。
【００３５】
また、この挿入により、図７に示すように手元操作管体４１の操作部材７４の係止部７２がスプリング７５の付勢力により伸縮接続パイプ４２の凹部４２ｂに係合し、伸縮接続パイプ４２が手元操作管体４１にロック（接続）される。
【００３６】
手元操作管体４１の風路管７６の先端部に毛ブラシ具８０（図５参照）が装着されている場合には、手元操作管体４１と伸縮接続パイプ４２との接続状態は図１２に示すようになる。
【００３７】
このように、手元操作管体４１の風路管７６内に伸縮接続パイプ４２の風路管４５Ａの接続口部４２Ａを挿入していくだけで、手元操作管体４１の風路管７６の先端面７６ａと伸縮接続パイプ４２の風路管４５Ａの接合面４５ａとが接触して、手元操作管体４１の凹部７８と伸縮接続パイプ４２の突出部４９の位置とが一致するように伸縮接続パイプ４２が案内され、伸縮接続パイプ４２が手元操作管体４１に接続される。このため、手元操作管体４１の凹部７８と伸縮接続パイプ４２の突出部４９の位置とを目視して確認しなくても、伸縮接続パイプ４２を手元操作管体４１に接続することができる。
また、最初に接続口部４２Ａを挿入されることにより、手元操作管４１と伸縮接続パイプ４２とを接続する際、まず風路管７６と風路管４５Ａとの上下左右方向へのずれが防止され、その後、先端面７６ａと接合面４５ａとの前述したような作用により、手元操作管４１と伸縮接続パイプ４２とを正規な位置で接続することができるから、より確実に両管の接続を行うことができる。
【００３８】
上記実施例では、手元操作管体４１の風路管７６に傾斜した先端面７６ａを形成したが、これに限るものではなく、例えば固定ブラシ８０を風路管の一部としてこれに先端面を形成し、この先端面を伸縮接続パイプ４２の接続口部４２Ａの接合面４２ａに接合させてもよい。
【００３９】
また上記実施例は、伸縮接続パイプ４２と手元操作管体４１とに適用した場合について説明したが、これに限らず例えば延長管同士や、吸込口体と掃除機本体、手元操作部と吸込口体との接続など、あらゆる組み合わせにおいて適用可能である。また、アップライト式の電気掃除機以外の電気掃除機にも適用できる。
【００４０】
また、手元操作管体４１に凹部７８を設け、伸縮接続パイプ４２に突出部４９を設けているがこの逆であってもよい。
【図面の簡単な説明】
【００４１】
【図１】この発明に係るアップライト式の電機掃除機の外観を示した斜視図である。
【図２】図１のアップライト式の電機掃除機の構成を示した断面図である。
【図３】図１に示す電気掃除機の手元操作管体を示した側面図である。
【図４】図３に示す手元操作管体の構成を示した断面図である。
【図５】図３に示す手元操作管体の一部と、この手元操作管体に装着されるブラシ具を示した斜視図である。
【図６】図１に示すアップライト式の電機掃除機の伸縮接続パイプを示した側面図である。
【図７】手元操作管体に伸縮接続パイプを接続した状態を示した部分断面図である。
【図８】手元操作管体に装着したブラシ具を示した斜視図である。
【図９】手元操作管体に伸縮接続パイプを接続した側面図である。
【図１０】手元操作管体の風路管内に伸縮接続パイプの風路管の接続口部を挿入した状態を示した説明図である。
【図１１】伸縮接続パイプが所定位置へ案内された状態を示した説明図である。
【図１２】ブラシ具を装着した手元操作管体に伸縮接続パイプを接続した状態を示した説明図である。
【符号の説明】
【００４２】
４１          手元操作管体
４２Ａ        接続口部
４５          伸縮接続パイプ
４５Ａ        風路管（第２接続部）
４５ａ        接合面
７６          風路管（第１接続部）
７６ａ        先端面
【図１】
2008136746.tif 000003
【図２】
2008136746.tif 000004
【図３】
2008136746.tif 000005
【図４】
2008136746.tif 000006
【図５】
2008136746.tif 000007
【図６】
2008136746.tif 000008
【図７】
2008136746.tif 000009
【図８】
2008136746.tif 000010
【図９】
2008136746.tif 000011
【図１０】
2008136746.tif 000012
【図１１】
2008136746.tif 000013
【図１２】
2008136746.tif 000014